(57)【要約】【課題】装置の構成を簡素化することが可能なガス絶縁開閉装置を提供する。【解決手段】このガス絶縁開閉装置１００は、絶縁用ガスが封入された気密筐体１０と、正面側保守ユニット３０と、正面側保守ユニット３０にケーブル７０を介して接続された背面側保守ユニット４０とを備える。気密筐体１０のスカート部９０に、正面側保守ユニット３０と背面側保守ユニット４０とを接続するケーブル７０が配置されている。【選択図】図１
2020089092.tif 000002
【特許請求の範囲】
【請求項１】
配電用電流経路を開閉する開閉器が内部に配置され、絶縁用ガスが封入された気密筐体と、
前記気密筐体の第１側面に設けられた第１機器部と、
前記第１機器部にケーブルを介して接続され、前記第１側面とは異なる前記気密筐体の第２側面に設けられた第２機器部とを備え、
前記第１側面および前記第２側面とは異なる前記気密筐体の部分に、前記ケーブルが配置されるケーブル配置部が形成されている、ガス絶縁開閉装置。
【請求項２】
前記気密筐体は、前記開閉器が配置される筐体本体部と、前記筐体本体部の底面から装置基礎側に突出するスカート部とを含み、
前記ケーブル配置部は、前記スカート部に設けられている、請求項１に記載のガス絶縁開閉装置。
【請求項３】
前記ケーブル配置部は、前記スカート部において前記装置基礎側から前記筐体本体部側に窪むように形成された切欠き部、または、前記スカート部に形成された孔部に設けられている、請求項２に記載のガス絶縁開閉装置。
【請求項４】
前記ケーブル配置部は、金属製のダクトを含み、
前記金属製のダクトは、前記筐体本体部の前記第１側面の端部近傍から突出する前記スカート部に形成された前記切欠き部または前記孔部と、前記筐体本体部の前記第２側面の端部近傍から突出する前記スカート部に形成された前記切欠き部または前記孔部とに跨って配置されている、請求項３に記載のガス絶縁開閉装置。
【請求項５】
前記スカート部は、前記気密筐体の底部に、枠状を有するように形成されており、
前記金属製のダクトは、前記第１側面の端部近傍から下側に突出する前記スカート部の第１枠部に形成された前記切欠き部または前記孔部と、前記第２側面の端部近傍から下側に突出する前記スカート部の第２枠部に形成された前記切欠き部または前記孔部とに跨って配置されている、請求項４に記載のガス絶縁開閉装置。
【請求項６】
前記切欠き部または前記孔部は、略矩形状に形成されている、請求項３〜５のいずれか１項に記載のガス絶縁開閉装置。
【請求項７】
前記切欠き部または前記孔部は、互いに間隔を隔てて複数設けられている、請求項３〜６のいずれか１項に記載のガス絶縁開閉装置。
【請求項８】
前記スカート部は、前記装置基礎に固定されている、請求項２〜７のいずれか１項に記載のガス絶縁開閉装置。
【請求項９】
前記第１機器部は、正面扉を有する正面側保守ユニットとして構成されており、
前記第２機器部は、背面扉を有する背面側保守ユニットとして構成されており、
前記ケーブル配置部は、前記気密筐体の正面側と背面側とに跨って設けられている、請求項１〜８のいずれか１項に記載のガス絶縁開閉装置。
【発明の詳細な説明】
【技術分野】
【０００１】
この発明は、ガス絶縁開閉装置に関する。
【背景技術】
【０００２】
従来、気密筐体を備えたガス絶縁開閉装置が知られている（たとえば、特許文献１参照）。
【０００３】
上記特許文献１には、密閉容器を備えたガス絶縁キュービクル（ガス絶縁開閉装置）が開示されている。この密閉容器には、絶縁性ガスが封入されているとともに、母線と負荷との配電用経路上に配置された断路器および真空遮断器が収納されている。また、密閉容器の外側でかつ前面側には、断路器操作器および真空遮断器操作器が配置されている。また、密閉容器は、装置基礎に固定された比較的大きい架台に下方から支持された状態で、架台に固定されている。そして、このガス絶縁キュービクルは、断路器および真空遮断器が閉状態の場合、母線からの電力を負荷側に供給するとともに、断路器または真空遮断器が開状態の場合、負荷側への電力の供給を停止するように構成されている。
【先行技術文献】
【特許文献】
【０００４】
【特許文献１】特開平１１−１５５２０９号公報
【発明の概要】
【発明が解決しようとする課題】
【０００５】
ここで、上記特許文献１に記載されているような従来のガス絶縁キュービクル（ガス絶縁開閉装置）において、装置の構成を簡素化するために、架台を無くすことが考えられる。しかしながら、上記特許文献１では明確には記載されていないものの、上記特許文献１のような従来のガス絶縁キュービクルには、断路器操作器および真空遮断器操作器（以下、「操作器」という）と、この操作器が設けられた側面とは異なる密閉容器の側面に配置された機器部（たとえば、カレントトランスまたは表示灯など）とを接続するためのケーブルが設けられている。このケーブルは、一般的に、密閉容器を支持している架台の内部に設けられたケーブル配置部に配置されているため、架台を無くすことは容易ではない。そこで、従来、架台をなくすことにより、装置の構成を簡素化することが可能なガス絶縁開閉装置が望まれていた。
【０００６】
この発明は、上記のような課題を解決するためになされたものであり、この発明の１つの目的は、装置の構成を簡素化することが可能なガス絶縁開閉装置を提供することである。
【課題を解決するための手段】
【０００７】
上記目的を達成するために、この発明の一の局面によるガス絶縁開閉装置は、配電用電流経路を開閉する開閉器が内部に配置され、絶縁用ガスが封入された気密筐体と、気密筐体の第１側面に設けられた第１機器部と、第１機器部にケーブルを介して接続され、第１側面とは異なる気密筐体の第２側面に設けられた第２機器部とを備え、第１側面および第２側面とは異なる気密筐体の部分に、ケーブルが配置されるケーブル配置部が形成されている。
【０００８】
この発明の一の局面によるガス絶縁開閉装置では、上記のように、第１側面および第２側面とは異なる気密筐体の部分に、ケーブルが配置されるケーブル配置部を形成する。これにより、ケーブル配置部が設けられた架台をガス絶縁開閉装置に設けなくても、第１機器部と第２機器部とを接続するためのケーブルを配置することができる。この結果、ケーブル配置部が設けられた架台を、ガス絶縁開閉装置に設ける必要がなくなるので、ガス絶縁開閉装置の構成を簡素化することができる。また、架台をガス絶縁開閉装置に設ける必要がなくなるので、ガス絶縁開閉装置の高さ寸法が定められている場合でも、架台が無くなる分、気密筐体の高さを大きくすることができる。この結果、気密筐体１つ当りに収納することができる機器の数を増加させることができる。あるいは、機器同士の絶縁距離を容易に確保することができる。
【０００９】
上記一の局面によるガス絶縁開閉装置において、好ましくは、気密筐体は、開閉器が配置される筐体本体部と、筐体本体部の底面から装置基礎側に突出するスカート部とを含み、ケーブル配置部は、スカート部に設けられている。このように構成すれば、筐体本体部の底面から装置基礎側に突出するスカート部により筐体本体部を支持することができるとともに、気密筐体に設けられるスカート部の一部をケーブル配置部として構成することができる。これにより、気密筐体とは別個に気密筐体を支持する部材を設ける必要がないので、ガス絶縁開閉装置の構成をより簡素化することができる。
【００１０】
この場合、好ましくは、ケーブル配置部は、スカート部において装置基礎側から筐体本体部側に窪むように形成された切欠き部、または、スカート部に形成された孔部に設けられている。このように構成すれば、スカート部に切欠き部または孔部を設けることにより、ケーブル配置部を容易に形成することができる。
【００１１】
上記ケーブル配置部が切欠き部または孔部に設けられている構成において、好ましくは、ケーブル配置部は、金属製のダクトを含み、金属製のダクトは、筐体本体部の第１側面の端部近傍から突出するスカート部に形成された切欠き部または孔部と、筐体本体部の第２側面の端部近傍から突出するスカート部に形成された切欠き部または孔部とに跨って配置されている。このように構成すれば、金属製のダクトに配置されるケーブルを、金属製のダクトにより静電遮蔽することができる。この結果、金属製のダクトを設けずにケーブルを静電遮蔽するために、装置基礎の上面またはガス絶縁開閉装置のケーブルよりも下側に、比較的大型な静電遮蔽用の底板部材を設ける場合と異なり、ガス絶縁開閉装置が大型化するのを抑制することができる。
【００１２】
上記ケーブル配置部が金属製のダクトを含む構成において、好ましくは、スカート部は、気密筐体の底部に、枠状を有するように形成されており、金属製のダクトは、第１側面の端部近傍から下側に突出するスカート部の第１枠部に形成された切欠き部または孔部と、第２側面の端部近傍から下側に突出するスカート部の第２枠部に形成された切欠き部または孔部とに跨って配置されている。このように構成すれば、金属製のダクトを、ケーブルが配線される第１側面側の第１枠部と第２側面側の第２枠部とに跨って設けることができるので、スカート部において、金属製のダクト以外にケーブルを静電遮蔽するための部材を設ける必要がなくなる。この結果、ガス絶縁開閉装置の構成が複雑化するのを抑制することができる。
【００１３】
上記ケーブル配置部が切欠き部または孔部に設けられている構成において、好ましくは、切欠き部または孔部は、略矩形状に形成されている。このように構成すれば、切欠き部または孔部が、三角形形状等の他の形状に形成されている場合に比べて、切欠き部または孔部に作業者の手や道具等を容易に挿入することができるので、ケーブルを配線する際の作業性を向上させることができる。
【００１４】
上記ケーブル配置部が切欠き部または孔部に設けられている構成において、好ましくは、切欠き部または孔部は、互いに間隔を隔てて複数設けられている。このように構成すれば、ケーブルの本数が多い場合にも、複数の切欠き部または孔部にケーブルを分割して配置することができる。また、ケーブルの本数が多い場合に、切欠き部または孔部の１つあたりの寸法が大型化するのを抑制することができるので、切欠き部または孔部が設けられるスカート部が大型化するのを抑制することができる。
【００１５】
上記ケーブル配置部がスカート部に設けられているガス絶縁開閉装置において、好ましくは、スカート部は、装置基礎に固定されている。このように構成すれば、気密筐体のスカート部を直接的に装置基礎に対して固定することができるので、気密筐体を装置基礎に固定するための架台を設ける場合と異なり、ガス絶縁開閉装置の構成をより一層簡素化することができる。
【００１６】
上記一の局面によるガス絶縁開閉装置において、好ましくは、第１機器部は、正面扉を有する正面側保守ユニットとして構成されており、第２機器部は、背面扉を有する背面側保守ユニットとして構成されており、ケーブル配置部は、気密筐体の正面側と背面側とに跨って設けられている。このように構成すれば、正背面保守形のガス絶縁開閉装置においても、ケーブル配置部が設けられた架台を設ける必要がなくなるので、ガス絶縁開閉装置の構成をより簡素化された、正背面保守形のガス絶縁開閉装置を提供することができる。
【発明の効果】
【００１７】
本発明によれば、上記のように、ガス絶縁開閉装置の構成を簡素化することができる。
【図面の簡単な説明】
【００１８】
【図１】一実施形態によるガス絶縁開閉装置の全体構成を示す側面断面図である。
【図２】一実施形態による気密筐体を示す正面図である。
【図３】一実施形態によるスカート部およびダクトを下方から見た図である。
【図４】一実施形態による固定部材の構成を示す断面図である。
【図５】一実施形態によるスカート部およびダクトの構成を示す正面図である。
【図６】一実施形態の第１変形例によるガス絶縁開閉装置の構成を示す図である。
【図７】一実施形態の第２変形例によるガス絶縁開閉装置の構成を示す図である。
【発明を実施するための形態】
【００１９】
以下、本発明を具体化した一実施形態を図面に基づいて説明する。
【００２０】
図１〜図５を参照して、本発明の一実施形態によるガス絶縁開閉装置１００の全体構成について説明する。ガス絶縁開閉装置（ＧＩＳ：Ｇａｓ  Ｉｎｓｕｌａｔｅｄ  Ｓｗｉｔｃｈ）１００は、たとえば、特高受変電設備（たとえば、２４ｋＶまたは３６ｋＶ用の受変電設備または配電設備）として構成される。
【００２１】
（ガス絶縁開閉装置の構成）
図１に示すように、ガス絶縁開閉装置１００は、気密筐体１０と、外装筐体２０と、正面側保守ユニット３０と、背面側保守ユニット４０と、固体絶縁母線５０と、基礎ベース６０と、ケーブル７０と、第１ダクト８１と、第２ダクト８２とを備える。すなわち、ガス絶縁開閉装置１００は、正背面保守形のガス絶縁スイッチギヤとして構成されている。なお、基礎ベース６０は、特許請求の範囲の「装置基礎」の一例である。また、正面側保守ユニット３０は、特許請求の範囲の「正面側保守ユニット」の一例である。また、背面側保守ユニット４０は、特許請求の範囲の「背面側保守ユニット」の一例である。
【００２２】
また、気密筐体１０、固体絶縁母線５０、正面側保守ユニット３０、および、背面側保守ユニット４０に含まれる機器類は、外装筐体２０内に配置されている。すなわち、ガス絶縁開閉装置１００は、キュービクル型のガス絶縁スイッチギヤとして構成されている。
【００２３】
（気密筐体の構成）
気密筐体１０の内部空間Ｓには、気密に絶縁用ガスが封入されている。この絶縁用ガスとしては、たとえば、六フッ化硫黄（ＳＦ6）ガス、または、乾燥空気が用いられる。また、気密筐体１０は、筐体本体部１０ａとスカート部９０とを含む。そして、筐体本体部１０ａは、正面側側面１１、背面側側面１２、右側側面１３（図２参照）、左側側面１４（図２参照）、上面１５、および、底面１６からなる略直方体形状を有する金属筐体として構成されている。なお、正面側側面１１は、特許請求の範囲の「第１側面」の一例である。また、背面側側面１２は、特許請求の範囲の「第２側面」の一例である。また、底面１６は、特許請求の範囲の「気密筐体の底部」の一例である。
【００２４】
また、筐体本体部１０ａの内部には、第１断路器１７ａと、第２断路器１７ｂと、真空遮断器１７ｃと、接地開閉器１７ｄとが配置されている。第１断路器１７ａと、第２断路器１７ｂと、真空遮断器１７ｃと、接地開閉器１７ｄは、それぞれ、固体絶縁母線５０と負荷１０１との間の配電用電流経路を開閉するように構成されている。なお、第１断路器１７ａと、第２断路器１７ｂと、真空遮断器１７ｃと、接地開閉器１７ｄとは、特許請求の範囲の「開閉器」の一例である。
【００２５】
第１断路器１７ａは、固体絶縁母線５０と真空遮断器１７ｃとの間の配電用電流経路に配置されている。たとえば、第１断路器１７ａは、筐体本体部１０ａの上面１５の内側に配置されている。そして、第１断路器１７ａは、後述する第１操作器３２の操作に応じて、固体絶縁母線５０と真空遮断器１７ｃとを導通する状態（閉状態）と、切断する状態（開状態）とを切り替えるように構成されている。なお、第１操作器３２は、特許請求の範囲の「第１機器部」の一例である。
【００２６】
第２断路器１７ｂは、筐体本体部１０ａにおいて、第１断路器１７ａよりも下部（矢印Ｚ２方向側）に配置され、真空遮断器１７ｃと接地開閉器１７ｄおよび後述する主回路ケーブル４２との間の配電用電流経路に配置されている。そして、第２断路器１７ｂは、後述する第２操作器３３の操作に応じて、真空遮断器１７ｃと接地開閉器１７ｄおよび主回路ケーブル４２とを導通する状態と、切断する状態とを切り替えるように構成されている。なお、第２操作器３３は、特許請求の範囲の「第１機器部」の一例である。
【００２７】
真空遮断器１７ｃは、筐体本体部１０ａにおいて、第２断路器１７ｂの正面側（矢印Ｘ１方向側）に隣接して配置され、第１断路器１７ａと第２断路器１７ｂとの間の配電用電流経路に配置されている。そして、真空遮断器１７ｃは、第２操作器３３の操作に応じて、第１断路器１７ａと第２断路器１７ｂとを導通する状態と、切断する状態とを切り替えるように構成されている。
【００２８】
接地開閉器１７ｄは、筐体本体部１０ａにおいて、第２断路器１７ｂおよび真空遮断器１７ｃよりも下部に配置されている。そして、接地開閉器１７ｄは、第２断路器１７ｂの２次側、および、主回路ケーブル４２の１次側に接続されている。そして、接地開閉器１７ｄは、後述する第３操作器３４の操作に応じて、第２断路器１７ｂの２次側および主回路ケーブル４２の１次側を、接地させる状態と、接地させない状態とを切り替えるように構成されている。なお、第３操作器３４は、特許請求の範囲の「第１機器部」の一例である。
【００２９】
（外装筐体の構成）
外装筐体２０は、少なくとも筐体本体部１０ａの右側側面１３、左側側面１４、および、上面１５を外側から覆う金属筐体である。また、図１に示すように、外装筐体２０の正面側には、正面扉３１が設けられている。また、外装筐体２０の背面側には、背面扉４１が設けられている。
【００３０】
（正面側保守ユニットの構成）
正面側保守ユニット３０は、正面扉３１を有し、気密筐体１０の正面側（矢印Ｘ１方向側）に配置されている。そして、正面扉３１には、正面扉３１に設けられた取っ手部３１ａと、正面側表示灯３１ｂと、保護継電器３１ｃとが設けられている。なお、正面側表示灯３１ｂおよび保護継電器３１ｃは、特許請求の範囲の「第１機器部」の一例である。
【００３１】
正面側表示灯３１ｂは、後述する計測器４３等と、ケーブル７０を介して接続されている。たとえば、正面側表示灯３１ｂは、計測器４３の計測結果に基づく表示や、第１断路器１７ａ等の開閉器の開閉状態等の表示を行うように構成されている。保護継電器３１ｃは、第１操作器３２、第２操作器３３、および、第３操作器３４、計測器４３および後述する背面側表示灯４１ｂ等と、ケーブル７０を介して接続されている。たとえば、保護継電器３１ｃは、計測器４３による計測結果に基づいて、第１断路器１７ａ、第２断路器１７ｂ、真空遮断器１７ｃ、および、接地開閉器１７ｄの開閉を制御するための制御信号を、第１操作器３２、第２操作器３３、および、第３操作器３４に送信するように構成されている。なお、背面側表示灯４１ｂは、特許請求の範囲の「第２機器部」の一例である。
【００３２】
また、正面側保守ユニット３０は、第１操作器３２、第２操作器３３、および、第３操作器３４を含む。第１操作器３２、第２操作器３３、第３操作器３４は、気密筐体１０の筐体本体部１０ａの正面側側面１１に設けられている。そして、正面扉３１は、取っ手部３１ａを用いて開放されることにより、第１操作器３２、第２操作器３３、および、第３操作器３４が、外装筐体２０の外側から、操作者によりアクセス可能な状態になる。
【００３３】
第１操作器３２は、気密筐体１０の外側でかつ正面側側面１１の上部に配置され、第１断路器１７ａに接続されている。そして、第１操作器３２は、操作者による入力操作、および、保護継電器３１ｃからの制御信号に基づいて、第１断路器１７ａの開閉を操作するように構成されている。また、第２操作器３３は、気密筐体１０の外側でかつ正面側側面１１において、第１操作器３２よりも下部に配置され、第２断路器１７ｂおよび真空遮断器１７ｃに接続されている。そして、第２操作器３３は、操作者による入力操作、および、保護継電器３１ｃからの制御信号に基づいて、第２断路器１７ｂおよび真空遮断器１７ｃの開閉を操作するように構成されている。また、第３操作器３４は、気密筐体１０の外側でかつ正面側側面１１において、第２操作器３３よりも下部に配置され、接地開閉器１７ｄに接続されている。そして、第３操作器３４は、操作者による入力操作、および、保護継電器３１ｃからの制御信号に基づいて、接地開閉器１７ｄの開閉を操作するように構成されている。
【００３４】
（背面側保守ユニットの構成）
背面側保守ユニット４０は、図１に示すように、背面扉４１を有し、気密筐体１０の背面側（矢印Ｘ２方向側）に配置されている。そして、背面扉４１には、背面扉４１に設けられた取っ手部４１ａと、背面側表示灯４１ｂとが設けられている。背面側表示灯４１ｂは、保護継電器３１ｃおよび計測器４３等と、ケーブル７０を介して接続されている。たとえば、背面側表示灯４１ｂは、計測器４３の計測結果に基づく表示や、第１断路器１７ａ等の開閉器の開閉状態等の表示を行うように構成されている。
【００３５】
また、背面側保守ユニット４０は、主回路ケーブル４２と、計測器４３とを含む。そして、計測器４３は、気密筐体１０の外側でかつ気密筐体１０の筐体本体部１０ａの背面側側面１２に設けられている。そして、主回路ケーブル４２は、気密筐体１０の外側でかつ計測器４３の背面側に接続されているとともに、計測器４３の背面側の位置から上方に向かって延びるように配置されている。そして、背面扉４１が、取っ手部４１ａを用いて開放されることにより、主回路ケーブル４２と計測器４３とが、外装筐体２０の外側から、操作者によりアクセス可能な状態になる。
【００３６】
計測器４３は、たとえば、主回路ケーブル４２に流れる電流値を計測するカレントトランスを含む。そして、計測器４３は、正面側保守ユニット３０にケーブル７０を介して接続され、ケーブル７０を介して、計測結果を正面側保守ユニット３０（保護継電器３１ｃ等）に送信するように構成されている。
【００３７】
（ケーブルの構成）
ケーブル７０は、導体線が絶縁被膜等により覆われて形成されており、制御信号等を伝達するように構成されている。たとえば、ケーブル７０は、０．５ｓｑ、０．７５ｓｑ、および、１．２５ｓｑなどの寸法の信号線が、複数本束ねられて構成されている。そして、ケーブル７０は、第１ダクト８１および第２ダクト８２の内部のそれぞれに、収納されている。
【００３８】
（スカート部の構成）
スカート部９０は、筐体本体部１０ａから基礎ベース６０に突出するように形成されている。たとえば、図３に示すように、スカート部９０は、正面側側面１１および背面側側面１２とは異なる筐体本体部１０ａの面である底面１６に、下方側（矢印Ｚ２方向側）から見て略矩形状の枠状に形成されている。そして、スカート部９０は、筐体本体部１０ａを支持する機能を有する。具体的には、スカート部９０は、正面側側面１１の下端部１１ａ近傍から突出する第１枠部９１と、背面側側面１２の下端部１２ａ近傍から下側に突出する第２枠部９２と、右側側面１３の下端部１３ａ近傍から下側に突出する第３枠部９３と、左側側面１４の下端部１４ａ近傍から下側に突出する第４枠部９４とを含む。なお、「下端部近傍」とは、下端部を含むとともに、下端部周辺（たとえば、下端部から底面１６に対して、前後方向または左右方向にずれた位置）を含む概念を意味するものとする。
【００３９】
また、本実施形態では、スカート部９０は、図４に示すように、基礎ベース６０に固定されている。具体的には、スカート部９０には、基礎ベース６０に固定される固定部材９０ａが取り付けられている。固定部材９０ａは、たとえば、左右方向（Ｙ方向）に見て、略Ｌ字状に形成されており、締結部材９０ｂにより基礎ベース６０およびスカート部９０の背面側側面１２に固定されている。なお、図４では、固定部材９０ａを１つのみ図示しているが、スカート部９０と基礎ベース６０とを複数の固定部材９０ａにより互いに固定させてもよい。
【００４０】
図５に示すように、第１枠部９１には、ケーブル７０（第１ダクト８１および第２ダクト８２）を配置するための第１切欠き部９１ａおよび９１ｂが設けられている。また、第２枠部９２には、ケーブル７０（第１ダクト８１および第２ダクト８２）を配置するための第２切欠き部９２ａおよび９２ｂが設けられている。そして、第１切欠き部９１ａおよび９１ｂ、および、第２切欠き部９２ａおよび９２ｂは、それぞれ、基礎ベース６０側から筐体本体部１０ａ側に窪むように形成されている。
【００４１】
第１切欠き部９１ａおよび９１ｂ、および、第２切欠き部９２ａおよび９２ｂは、それぞれ、前後方向（Ｘ方向）に見て、略矩形状に形成されている。第１切欠き部９１ａおよび９１ｂ、および、第２切欠き部９２ａおよび９２ｂの左右方向（Ｙ方向）の各々の幅Ｗ１は、第１ダクト８１および第２ダクト８２の幅Ｗ２以上であり、窪み深さｄ１は、第１ダクト８１および第２ダクト８２の高さｈ１以上である。また、ケーブル７０の幅Ｗ３は、幅Ｗ１よりも小さくかつ幅Ｗ２よりも小さい。
【００４２】
また、第１切欠き部９１ａおよび９１ｂは、左右方向に互いに離間して配置されており、第２切欠き部９２ａおよび９２ｂは、左右方向に互いに離間して配置されている。また、第１切欠き部９１ａと第２切欠き部９２ａとは、前後方向に見て、互いにオーバラップする位置（好ましくは、略一致する位置）に設けられている。また、第１切欠き部９１ｂと第２切欠き部９２ｂとは、前後方向に見て、互いにオーバラップする位置（好ましくは、略一致する位置）に設けられている。
【００４３】
（第１ダクトおよび第２ダクトの構成）
第１ダクト８１および第２ダクト８２は、図３に示すように、それぞれ、前後方向に延びる筒状に形成されており、金属製である。たとえば、第１ダクト８１および第２ダクト８２は、鉄またはステンレス鋼を含む。そして、第１ダクト８１および第２ダクト８２のそれぞれの内部には、ケーブル７０が配置されている。これにより、第１ダクト８１および第２ダクト８２は、それぞれ、ケーブル７０を保持する機能と、第１ダクト８１および第２ダクト８２の外部に対して静電遮蔽する機能とを有する。そして、図５に示すように、第１ダクト８１および第２ダクト８２は、それぞれ、前後方向に見て、略矩形状に形成されている。
【００４４】
第１ダクト８１は、図３に示すように、第１切欠き部９１ａと第２切欠き部９２ａとに跨って配置されている。また、第２ダクト８２は、第１切欠き部９１ｂと第２切欠き部９２ｂとに跨って配置されている。また、第１ダクト８１および第２ダクト８２は、左右方向に幅Ｗ１以下の幅Ｗ２（図５参照）を有し、上下方向に窪み深さｄ１以下の高さｈ１（図５参照）を有する。これにより、第１ダクト８１および第２ダクト８２に配置されているケーブル７０は、気密筐体１０の正面側と背面側とに跨って配線された状態となる。
【００４５】
［本実施形態の効果］
本実施形態では、以下のような効果を得ることができる。
【００４６】
本実施形態では、上記のように、正面側側面１１および背面側側面１２とは異なる底面１６に、ケーブル７０が配置される第１切欠き部９１ａおよび９１ｂと第２切欠き部９２ａおよび９２ｂとを形成する。これにより、ケーブル７０を配置するための構成が設けられた架台をガス絶縁開閉装置１００に設けなくても、正面側保守ユニット３０と背面側保守ユニット４０とを接続するためのケーブル７０を配置することができる。この結果、ケーブル７０を配置するための構成が設けられた架台を、ガス絶縁開閉装置１００に設ける必要がなくなるので、ガス絶縁開閉装置１００の構成を簡素化することができる。また、架台をガス絶縁開閉装置１００に設ける必要がなくなるので、ガス絶縁開閉装置１００の高さ寸法が定められている場合でも、架台が無くなる分、気密筐体１０の高さを大きくすることができる。この結果、気密筐体１０の１つ当りに収納することができる機器の数を増加させることができる。あるいは、機器同士の絶縁距離を容易に確保することができる。
【００４７】
また、本実施形態では、上記のように、気密筐体１０に、第１断路器１７ａと、第２断路器１７ｂと、真空遮断器１７ｃと、接地開閉器１７ｄとが配置される筐体本体部１０ａと、筐体本体部１０ａの底面１６から基礎ベース６０側に突出するスカート部９０とを設ける。そして、第１切欠き部９１ａおよび９１ｂと第２切欠き部９２ａおよび９２ｂとを、スカート部９０に設ける。これにより、筐体本体部１０ａの底面１６から基礎ベース６０側に突出するスカート部９０により筐体本体部１０ａを支持することができるとともに、気密筐体１０に設けられるスカート部９０の一部を第１切欠き部９１ａおよび９１ｂ、および、第２切欠き部９２ａおよび９２ｂとして構成することができる。この結果、気密筐体１０とは別個に気密筐体１０を支持する部材を設ける必要がないので、ガス絶縁開閉装置１００の構成をより簡素化することができる。
【００４８】
また、本実施形態では、上記のように、スカート部９０に、基礎ベース６０側から筐体本体部１０ａ側に窪むように形成された第１切欠き部９１ａおよび９１ｂ、および、第２切欠き部９２ａおよび９２ｂを設ける。これにより、スカート部９０に第１切欠き部９１ａおよび９１ｂ、および、第２切欠き部９２ａおよび９２ｂを設けることにより、ケーブル７０を配置するための構成を容易に形成することができる。
【００４９】
また、本実施形態では、上記のように、第１切欠き部９１ａおよび９１ｂ、および、第２切欠き部９２ａおよび９２ｂに、金属製の第１ダクト８１および第２ダクト８２を設ける。そして、金属製の第１ダクト８１および第２ダクト８２を、筐体本体部１０ａの正面側側面１１の下端部１１ａ近傍から突出するスカート部９０に形成された第１切欠き部９１ａおよび９１ｂと、筐体本体部１０ａの背面側側面１２の下端部１２ａ近傍から突出するスカート部９０に形成された第２切欠き部９２ａおよび９２ｂとに跨って配置する。これにより、金属製の第１ダクト８１および第２ダクト８２に配置されるケーブル７０を、金属製の第１ダクト８１および第２ダクト８２により静電遮蔽することができる。この結果、金属製の第１ダクト８１および第２ダクト８２を設けずにケーブル７０を静電遮蔽するために、基礎ベース６０の上面またはガス絶縁開閉装置１００のケーブル７０よりも下側に、比較的大型な静電遮蔽用の底板部材を設ける場合と異なり、ガス絶縁開閉装置１００が大型化するのを抑制することができる。
【００５０】
また、本実施形態では、上記のように、スカート部９０を、気密筐体１０の底面１６に、枠状を有するように形成する。そして、金属製の第１ダクト８１および第２ダクト８２を、正面側側面１１の下端部１１ａ近傍から下側に突出するスカート部９０の第１枠部９１に形成された第１切欠き部９１ａおよび９１ｂと、背面側側面１２の下端部１２ａ近傍から下側に突出するスカート部９０の第２枠部９２に形成された第２切欠き部９２ａおよび９２ｂとに跨って配置する。これにより、金属製の第１ダクト８１および第２ダクト８２を、ケーブル７０が配線される第１枠部９１と第２枠部９２とに跨って設けることができるので、スカート部９０において、金属製の第１ダクト８１および第２ダクト８２以外にケーブル７０を静電遮蔽するための部材を設ける必要がなくなる。この結果、ガス絶縁開閉装置１００の構成が複雑化するのを抑制することができる。
【００５１】
また、本実施形態では、上記のように、第１切欠き部９１ａおよび９１ｂと、第２切欠き部９２ａおよび９２ｂとを、略矩形状に形成する。これにより、第１切欠き部９１ａおよび９１ｂと、第２切欠き部９２ａおよび９２ｂとが、三角形形状等の他の形状に形成されている場合に比べて、第１切欠き部９１ａおよび９１ｂと、第２切欠き部９２ａおよび９２ｂとに作業者の手や道具等を容易に挿入することができるので、ケーブル７０を配線する際の作業性を向上させることができる。
【００５２】
また、本実施形態では、上記のように、第１切欠き部９１ａおよび９１ｂと、第２切欠き部９２ａおよび９２ｂとを、それぞれ、互いに間隔を隔てて複数設ける。これにより、ケーブル７０の本数が多い場合にも、第１切欠き部９１ａおよび９１ｂ、および、第２切欠き部９２ａおよび９２ｂにケーブル７０を分割して配置することができる。また、ケーブル７０の本数が多い場合に、第１切欠き部９１ａおよび９１ｂ、および、第２切欠き部９２ａおよび９２ｂの１つあたりの寸法が大型化するのを抑制することができるので、第１切欠き部９１ａおよび９１ｂ、および、第２切欠き部９２ａおよび９２ｂが設けられるスカート部９０が大型化するのを抑制することができる。
【００５３】
また、本実施形態では、上記のように、スカート部９０を、基礎ベース６０に固定する。これにより、気密筐体１０のスカート部９０を直接的に基礎ベース６０に対して固定することができるので、気密筐体１０を基礎ベース６０に固定するための架台を設ける場合と異なり、ガス絶縁開閉装置１００の構成をより一層簡素化することができる。
【００５４】
また、本実施形態では、上記のように、ガス絶縁開閉装置１００に、正面扉３１を有する正面側保守ユニット３０と、背面扉４１を有する背面側保守ユニット４０とを設ける。そして、第１ダクト８１および第２ダクト８２を、気密筐体１０の正面側と背面側とに跨るように設ける。これにより、正背面保守形のガス絶縁開閉装置１００においても、ケーブル７０を配置するための構成が設けられた架台を設ける必要がなくなるので、ガス絶縁開閉装置１００の構成をより簡素化された正背面保守形のガス絶縁開閉装置１００を提供することができる。
【００５５】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５６】
（第１変形例）
たとえば、上記実施形態では、スカート部に、ケーブルを配置するための第１切欠き部および第２切欠き部を設ける例を示したが、本発明はこれに限られない。たとえば、図６に示す第１変形例のガス絶縁開閉装置２００のように、スカート部２９０に、円筒状の第１ダクト２８１および第２ダクト２８２が配置される第１孔部２９１および第２孔部２９２が設けられていてもよい。この場合、この円筒状の第１ダクト２８１および第２ダクト２８２の内部に、ケーブル７０が配置される。
【００５７】
（第２変形例）
また、上記実施形態では、ガス絶縁開閉装置に金属製のダクトを設ける例を示したが、本発明はこれに限られない。たとえば、図７に示す第２変形例のガス絶縁開閉装置３００のように、金属製のダクトの代わりに、金属製の底板３８０が設けられていてもよい。詳細には、第１切欠き部９１ａと第２切欠き部９２ａとに跨るようにケーブル７０が配置されるとともに、第１切欠き部９１ｂと第２切欠き部９２ｂとに跨るようにケーブル７０が配置される。そして、底板３８０は、底面１６と基礎ベース６０との間に配置されている。これにより、ケーブル７０は、底板３８０により基礎ベース６０側に対して静電遮蔽された状態となる。
【００５８】
また、上記実施形態では、筐体本体部から基礎ベースに突出するスカート部に第１切欠き部および第２切欠き部を設ける例を示したが、本発明はこれに限られない。たとえば、ケーブルの配線作業性が上記実施形態よりも低下することに問題がなければ、筐体本体部の上側の部分にケーブルを配置することが可能な切欠き部を設けてもよい。
【００５９】
また、上記実施形態では、正面側側面の下端部から突出する第１枠部に第１切欠き部を設けて、背面側側面の下端部から突出する第２枠部に第２切欠き部を設ける例を示したが、本発明はこれに限られない。たとえば、第１切欠き部または第２切欠き部を、右側側面の下端部から突出する第３枠部に設けてもよいし、左側側面の下端部から突出する第４枠部に設けてもよい。
【００６０】
また、上記実施形態では、第１切欠き部および第２切欠き部を略矩形状に形成する例を示したが、本発明はこれに限られない。たとえば、第１切欠き部および第２切欠き部を円弧状、または、三角形状等の矩形状以外の形状を有するように形成してもよい。
【００６１】
また、上記実施形態では、第１切欠き部、第２切欠き部、および、ダクトを、それぞれ、２つ設ける例を示したが、本発明はこれに限られない。たとえば、第１切欠き部、第２切欠き部、および、ダクトを、それぞれ、１つ設けてもよいし、第１切欠き部、第２切欠き部、および、ダクトを、それぞれ、３つ以上の数、設けてもよい。
【００６２】
また、上記実施形態では、スカート部を枠状に形成する例を示したが、本発明はこれに限られない。たとえば、スカート部を、正面側側面の下端部から突出する部分および背面側側面の下端部から突出する部分のみから構成されていてもよい。
【００６３】
また、上記実施形態では、ガス絶縁開閉装置を正背面保守形のガス絶縁開閉装置に構成する例を示したが、本発明はこれに限られない。たとえば、正面保守形のガス絶縁開閉装置に、本発明を適用してもよい。
【００６４】
また、上記実施形態では、固定部材を設けて、スカート部を基礎ベースに固定する例を示したが、本発明はこれに限られない。たとえば、スカート部と基礎ベースとを溶接等により接合することにより、スカート部を基礎ベースに固定してもよい。
【符号の説明】
【００６５】
１０  気密筐体
１０ａ  筐体本体部
１１  正面側側面（第１側面）
１１ａ、１２ａ  下端部（第１側面の端部、第２側面の端部）
１２  背面側側面（第２側面）
１６  底面（底部、第１側面および第２側面とは異なる気密筐体の部分）
１７ａ  第１断路器（開閉器）
１７ｂ  第２断路器（開閉器）
１７ｃ  真空遮断器（開閉器）
１７ｄ  接地開閉器（開閉器）
３０  正面側保守ユニット（第１機器部）
３１  正面扉
３１ｂ  正面側表示灯（第１機器部）
３１ｃ  保護継電器（第１機器部）
３２  第１操作器（第１機器部）
３３  第２操作器（第１機器部）
３４  第３操作器（第１機器部）
４０  背面側保守ユニット（第２機器部）
４１  背面扉
４１ｂ  背面側表示灯（第２機器部）
４３  計測器（第２機器部）
６０  基礎ベース（装置基礎）
７０  ケーブル
８１、２８１  第１ダクト（ケーブル配置部）
８２、２８２  第２ダクト（ケーブル配置部）
９０、２９０  スカート部（第１側面および第２側面とは異なる気密筐体の部分）
９０ａ  固定部材（固定部）
９０ｂ  締結部材（固定部）
９１  第１枠部
９１ａ、９１ｂ  第１切欠き部（ケーブル配置部）
９２  第２枠部
９２ａ、９２ｂ  第２切欠き部（ケーブル配置部）
１００、２００、３００  ガス絶縁開閉装置
２９１  第１孔部（ケーブル配置部）
２９２  第２孔部（ケーブル配置部）
【図１】
2020089092.tif 000003
【図２】
2020089092.tif 000004
【図３】
2020089092.tif 000005
【図４】
2020089092.tif 000006
【図５】
2020089092.tif 000007
【図６】
2020089092.tif 000008
【図７】
2020089092.tif 000009